【事件の表示】
　特許第３０１８７４１号「ディジタル複写装置」の請求項１ないし３に係る特許に対する特許異議の申立てについて、次のとおり決定する。
【結　論】
　訂正を認める。
　特許第３０１８７４１号の請求項１に係る特許を取り消す。
　同請求項２、３に係る特許を維持する。
【理　由】
１．手続の経緯
　　特許第３０１８７４１号の請求項１、２、３に係る発明についての出願は、平成４年５月１日に特許出願され、平成１２年１月７日にその発明について特許の設定登録がなされ、その後、その特許について、異議申立人内山充、小湊勇次より特許異議の申立てがなされ、平成１２年１１月１３日に取消理由通知がなされ、その指定期間内である平成１３年１月２３日に訂正請求がされたものである。
　　　
２．訂正の適否についての判断
（１）訂正の内容
　ア．訂正事項ａ
　特許請求の範囲の第１項中の「印刷出力する」を、「印刷出力する複写動作を行う」と訂正する。
　イ．訂正事項ｂ
　　特許請求の範囲の第１項中の「操作指示部から入力された複写条件と、時刻情報を」を、「前記複写動作に際して、操作指示部から入力された複写条件と、時刻情報とを」と訂正する。
（２）訂正の目的の適否、新規事項の有無及び拡張・変更の存否
　　上記訂正事項ａは、発明を特定する事項である「印刷出力する」をこれに含まれる事項である「印刷出力する複写動作を行う」に変更し、しかも、「印刷出力する複写動作を行う」については、願書に添付された明細書の段落【００２４】、【００２５】（「【００２４】（１）　操作開始と処理設定操作員が、本実施例のディジタル複写装置を用いて原稿コピー操作を行う時には、通常の複写機と同様に、図３に示す操作パネルを用いて、複写部数、拡大縮小の比率、出力用紙サイズの選定、丁合方法およびＡＤＦ（原稿自動送り装置）機能の選択の有無等の複写条件の指示をする（ステップＳ１）。【００２５】また、本実施例の再出力機能を使用する時には、複写内容を記録して残すことを指示するために、記録ボタンをオンにする。なお、この記録ボタンは必須の構成ではなく、該記録ボタンを設けずに、常時複写内容を記録して残すようにしてもよい。」）に記載されているから、特許請求の範囲の減縮を目的とした明細書の訂正に該当し、また、上記訂正事項ｂは、発明を特定する事項である「操作指示部から入力された複写条件と、時刻情報を」をこれに含まれる事項である「前記複写動作に際して、操作指示部から入力された複写条件と、時刻情報とを」に変更し、しかも、「前記複写動作に際して、操作指示部から入力された複写条件と、時刻情報とを」については、願書に添付された明細書の段落【００２４】〜【００３０】に記載されているから、特許請求の範囲の減縮を目的とした明細書の訂正に該当し、いずれも、新規事項の追加に該当せず、実質的に特許請求の範囲を拡張又は変更するものではない。
（３）むすび　
　したがって、上記訂正は、特許法第１２０条の４第２項及び同条第３項で準用する第１２６条第２項及び第３項の規定に適合するので、当該訂正を認める。
　　
３．特許異議の申立てについての判断
（１）本件発明
　上記２．で示したように上記訂正が認められるから、本件の請求項１、請求項２、請求項３に係る発明は、上記訂正に係る訂正明細書の特許請求の範囲の請求項１、２、３に記載された事項に特定される次のとおりのものである。
「【請求項１】　画像入力部から読込んだ画像データを電気的ディジタル信号に変換した後印刷手段で印刷出力する複写動作を行うようにしたディジタル複写装置において、
　前記複写動作に際して、操作指示部から入力された複写条件と、時刻情報とを複写情報レコードとして記憶すると共に、該複写情報レコードと関連づけて前記画像データの圧縮データを記憶するデータ記憶部と、
　画像の検索再出力を指示するための操作ボタンと、
　該操作ボタンが操作された時に、前記データ記憶部から読み出されたデータに基づいて作成された再出力可能一覧を表示する表示部と、
　該表示部上で所望の画像データを選択する選択手段と、
　選択された画像データを印刷出力する画像出力部とを具備したことを特徴とするディジタル複写装置。
　【請求項２】　請求項１のディジタル複写装置において、
　前記選択手段により再出力する画像データが選択されたときに、前回の出力処理内容を表示する手段と、
　該表示された出力処理内容を変更する手段とを設けたことを特徴とするディジタル複写装置。
　【請求項３】　請求項１又は２のディジタル複写装置において、
　前記データ記億部は、操作員又はその属するグルーフ等の識別情報を記憶し、検索再出力時に、前記表示部に、入力された識別情報と一致した画像データの再出力可能一覧を表示するようにしたことを特徴とするディジタル複写装置。」
　　
（２）申立て理由の概要
　（ア）申立人小湊勇次は、証拠として甲第１号証（特開昭５７−８１６８３号公報）、甲第２号証（特開平３−２８２７８０号公報）を提出し、請求項１〜３に係る発明は、特許法第２９条第２項の規定に違反してなされたものであるから、特許を取り消すべき旨、
　（イ）申立人内山充は、証拠として甲第１号証（特開平１−２６９３６１号公報）、甲第２号証（特開昭６４−４４１７０号公報）を提出し、請求項１〜３に係る発明は、特許法第２９条第２項の規定に違反してなされたものであるから、特許を取り消すべき旨、
それぞれ、主張している。
　　
（３）引用刊行物に記載された発明
　当審が平成１２年１１月１３日付けで通知した取消理由で引用した刊行物は、刊行物１（特開昭５７−８１６８３号公報）、刊行物２（特開平３−２８２７８０号公報）、刊行物３（特開平１−２６９３６１号公報）、刊行物４（特開昭６４−４４１７０号公報）である。
　その刊行物３（特開平１−２６９３６１号公報）（以下、「引用例１」という。）には、以下のような事項が記載されている。　
　ア．「第１図は本発明を適用する多種媒体複写機（マルチメデイアコピーマシン）を示す斜視図、第２図はそのシステムブロック図である。図中の１は画像読み取り装置（スキヤナ）で、デジタル複写機の入力部であり、原稿台に載置した原稿の画像情報をＣＣＤ（電荷結合素子）などの撮像素子によって電気信号（画像信号）に変換するものである。また２は画像信号記録／再生等を行う画像処理部、３はプリンタ（画像形成装置）、４は操作・表示部である。」（第２頁下左欄第１９行目〜同頁下右欄第８行目）
　イ．「操作・表示部４は複写機として標準の操作部６０と、ドット液晶表示部６５及び操作データ入力用のソフトキー６６を備えた特殊操作部６１を備えている。標準操作部６０は「紙から紙へのコピー」機能使用時のためのもので、コピー枚数設定用テンキー６２、枚数表示部６３、プリントスタートキー６４及びコピー条件設定用キー及び表示部７０等で構成される。」（第４頁下左欄第１３〜２０行目）　　
　ウ．「以上のような構成において、本発明は、スキヤナから読み取った画像信号をプリンタに出力するという紙から紙への複写機能という従来のデジタル複写機能に加え、スキヤナから読み取った画像データを外部記憶手段に記録し、また、外部記憶手段に記録された画像データを読み出して、複写用紙に再生するといった紙から紙以外の媒体への複写及び紙以外の媒体から紙への複写の機能も持ち、簡単なファイリングシステムとなるものである。」（第４頁下右欄第９〜１８行目）
　エ．「（１）通常の複写動作
　スキャナ１に設けられた操作・表示部４のプリントスタートキー６４を押すと（Ｓｔｅｐ１）、通常の複写モードと判断し（Ｓｔｅｐ２，３）、画像読み取り動作（Ｓｔｅｐ３−１）に入る。
〈読み取り動作〉
　操作・表示部４からのキー入力は、画像処理部２の操作・表示部４に接続されたインターフェイス（Ｉ／Ｆ）２０５を介し、ＣＰＵ２０６、ＲＯＭ２０７、ＲＡＭ２０８等で構成される処理部に送られる。処理部からはスキャナ１を作動させるための制御信号を、インターフェイス２００からスキャナ側のインターフェイス１１７を経由してスキャナ１の制御部（スキャナコントロール）１１８に送る。 
　　　　　　　　　　 ・・・（中略）・・・
デジタル変換された画像信号はラインバッファ１１５，１１６の一方に書き込まれる。ラテンバッファは、例えば、その一方１１５への書き込み中は、他方の１１６が読み出し動作となるよう制御されるもので、両ラインバッファ１１５と１１６は交互に書き込みと読み出し動作がなされる。
〈読み出し（プリントアウト）〉
　スキャナ１の読み取り終了またはページメモリ２０２の書き込み領域が無くなる等により、ページメモリ２０２への書き込みが終了し、読み出し動作となる（Ｓｔｅｐ３−２）。
　ＣＰＵ２０６，ＲＯＭ２０７，ＲＡＭ２０８等で構成される処理部より、プリンタ制御のインターフェイス（Ｉ／Ｆ）２１０からプリンタ３のスタート信号等、制御信号がプリンタ３のコントロール回路３３０に入力する。プリンタ３が起動すると、プリンタ３より画像データの読み出しを要求する。この画像データ要求に従って、ページメモリ２０２からの画像データの読み出しが行われ、パラレル／シリアル変換（Ｐ／Ｓ）回路２０３でパラレル／シリアル変換されてプリンタ３へ画像データが送られる。」（第５頁上左欄第１行目〜同頁下左欄第１０行目）
　オ．「（２）画像データの外部記憶手段への登録
　操作・表示部４の特殊操作部６１のソフトキー６６でデータ登録モードを選択（Ｓｔｅｐｌ、Ｓｔｅｐ２、Ｓｔｅｐ４）し、プリントスタートキー６４を押すと（Ｓｔｅｐ４−１）、スキヤナ１は画像データの読み取りを開始し、所定用紙か否かの判定を行う（Ｓｔｅｐ４−２）。
　所定用紙である場合は、前記同様画像の読み取りを行い、ページメモリ２０２へ書き込みを行う（Ｓｔｅｐ４−３）。スキャナ１での読み取り終了またはページメモリ２０２の書き込み領域が無くなる等により書き込みを終了すると、検索情報を一時的に書き込むメモリ（ＲＡＭ）２０８の内容を読み出す。メモリ２０８内に何も書かれていない場合は、ページメモリ２０２の所定位置よりデータを読み出し、メモリ２０８に一時的に書き込む（Ｓｔｅｐ４−４，４−７）。ページメモリ２０２に書かれた画像データは順次読み出され、インターフェイス２２０からデイスクのドライブ装置２２１に送られ、外部記憶手段（例えば光デイスク）に記録される（Ｓｔｅｐ４‐５）。またこれと同時に、記録順位（ファイルＮＯ．）、ファイル作成月、日、ファイルサイズ等内部処理により自動的に付与されるファイル識別検索情報と共に、メモリ２０８に記憶されている検索情報がインターフェイス２３０からデイスクドライブ２３１に送られ、画像データファイル検索情報管理用の外部記憶手段（例えばＦＤ）のに記録される（Ｓｔｅｐ４−６）。」（第５頁下右欄第１０行目〜第６頁上左欄第１７行目）
　カ．「（３）外部記憶手段に記録された記録情報（画像データ）のプリントアウト
　操作・表示部４の特殊操作部６１のソフトキー６６でファイル（画像データ）の読み出しモードを選択する（Ｓｔｅｐｌ，２，４，５）。次にファイル検索情報管理用の外部記憶手段より情報内容が読み出され、操作・表示部４のインターフェイス２０５を介して操作・表示部４の特殊操作部６１の表示部６５に表示される（Ｓｔｅｐ５−１）。
　表示された検索情報内容を確認し、テンキー６２からファイルＮＯ．を入力し、またはソフトキー６６の操作でファイル選択を行い（Ｓｔｅｐ　５‐２）、プリントスタートキー６４を押す（（Ｓｔｅｐ　５‐３）。
　これにより画像データ読出のための情報がファイル検索情報管理用の外部記憶手段より読み出され、メモリ２０８へ書き込まれる。このメモリ２０８内の画像データ読み出し情報に従い、画像データの記録された外部記憶手段より所定の画像データが読み出され、ページメモリ２０２へ書き込まれる（Ｓｔｅｐ　５‐４）。
　ページメモリ２０２への書き込みが終了すると、通常のプリント動作と同様に、ページメモリ２０２内のデータがプリンタ３へ送られ、プリンタ用紙へのプリントアウトがなされる（Ｓｔｅｐ５‐５）。」（第６頁上右欄第７行目〜同頁下左欄第１１行目）  
　キ．「特に複雑な操作をすることなく、検索情報を付加して容易に画像データの記録ファイルの作成及び再生をすることが出来る。」（第６頁下右欄第１０〜１２行目）
　ク．第１図には多種媒体複写機を示す斜視図が、第２図はそのシステムブロック図が、第５図には画像処理部のの構成図が、第９図には操作・表示部の概略平面図が、第１０図には制御フローチャート図が示されている。
　これらの記載事項によれば、引用例１には、以下のとおりの発明が記載されていると認められる。
「デジタル複写機の入力部であり、原稿台に載置した原稿の画像情報をＣＣＤ（電荷結合素子）などの撮像素子によって電気信号（画像信号）に変換する画像読み取り装置（スキヤナ）１と、画像信号記録／再生等を行う画像処理部２と、プリンタ（画像形成装置）３と、操作・表示部４とを有する多種媒体複写機（マルチメデイアコピーマシン）において、
　通常の複写動作では、操作・表示部４からのキー入力により、スキャナ１を作動させ、原稿をデジタル変換して読み込み、スキャナ１の読み取り終了またはページメモリ２０２の書き込み領域が無くなる等により、ページメモリ２０２への書き込みが終了し、読み出し動作とし、プリンタ３より画像データの読み出しを要求に従って、ページメモリ２０２からの画像データの読み出しが行われ、パラレル／シリアル変換（Ｐ／Ｓ）回路２０３でパラレル／シリアル変換されてプリンタ３へ画像データが送られプリントアウトが行われ、
　登録動作では、操作・表示部４の特殊操作部６１のソフトキー６６でデータ登録モードを選択し、プリントスタートキー６４を押すと、スキヤナ１は画像データの読み取りを開始し、ページメモリ２０２へ書き込みを行い、スキャナ１での読み取り終了またはページメモリ２０２の書き込み領域が無くなる等により書き込みを終了すると、検索情報をページメモリ２０２の所定位置よりデータを読み出し、メモリ２０８に一時的に書き込み、ページメモリ２０２に書かれた画像データは順次読み出され、インターフェイス２２０からデイスクのドライブ装置２２１に送られ、外部記憶手段（例えば光デイスク）に記録され、またこれと同時に、記録順位（ファイルＮＯ．）、ファイル作成月、日、ファイルサイズ等内部処理により自動的に付与されるファイル識別検索情報と共に、メモリ２０８に記憶されている検索情報がインターフェイス２３０からデイスクドライブ２３１に送られ、画像データファイル検索情報管理用の外部記憶手段（例えばＦＤ）のに記録され、
   記憶手段に記録された情報をプリントアウトする動作では、操作・表示部４の特殊操作部６１のソフトキー６６でファイル（画像データ）の読み出しモードを選択して、次にファイル検索情報管理用の外部記憶手段より情報内容が読み出され、操作・表示部４のインターフェイス２０５を介して操作・表示部４の特殊操作部６１の表示部６５に表示され、表示された検索情報内容を確認し、テンキー６２からファイルＮＯ．を入力し、またはソフトキー６６の操作でファイル選択を行い、プリントスタートキー６４を押し、これにより画像データ読出のための情報がファイル検索情報管理用の外部記憶手段より読み出され、メモリ２０８へ書き込まれ、このメモリ２０８内の画像データ読み出し情報に従い、画像データの記録された外部記憶手段より所定の画像データが読み出され、ページメモリ２０２へ書き込まれ、ページメモリ２０２への書き込みが終了すると、通常のプリント動作と同様に、ページメモリ２０２内のデータがプリンタ３へ送られ、プリンタ用紙へのプリントアウトがなされる多種媒体複写機。」（以下、「引用発明１」ということがある。）
　　　
（４）対比・判断
　（ア）本件請求項１に係る発明について
　本件請求項１に係る発明と引用発明１とを対比すると、引用発明１の「多種媒体複写機」、「スキャナ」、「プリンタ」、「外部記憶手段」、「操作・表示部」、「キー」、「ファイルサイズ等」、「ファイル作成月、日」は、本件請求項１に係る発明の「ディジタル複写装置」、「画像入力部」、「印刷手段、画像出力部」、「データ記憶部」、「操作指示部」、「操作ボタン」、「複写条件」、「時刻情報」に相当し、また、引用発明１の「表示された検索情報内容を確認し、テンキー６２からファイルＮＯ．を入力し、またはソフトキー６６の操作でファイル選択を行い」は、本件請求項１に係る発明の「表示部上で所望の画像データを選択する選択手段」に相当し、さらに、請求項１に係る発明の「データ記憶部」が特に限定がないので、、引用発明１のページメモリ２０２、検索情報を書き込むメモリ２０８、外部記憶手段、及び画像データファイル検索情報管理用の外部記憶手段を排除するものでないから、両者は、
「画像入力部から読込んだ画像データを電気的ディジタル信号に変換した後印刷手段で印刷出力する複写動作を行うようにしたディジタル複写装置において、
　複写情報と画像データを記憶するデータ記憶部と、
　画像の検索再出力を指示するための操作ボタンと、
　該操作ボタンが操作された時に、前記データ記憶部から読み出されたデータに基づいて作成された再出力可能一覧を表示する表示部と、
　該表示部上で所望の画像データを選択する選択手段と、
　選択された画像データを印刷出力する画像出力部とを具備したことを特徴とするディジタル複写装置。」において一致し、次の点で相違する、
〈相違点１〉
　本件請求項１に係る発明では、データ記憶部が、複写動作に際して、操作指示部から入力された複写条件と、時刻情報とを複写情報レコードとして記憶すると共に、該複写情報レコードと関連づけて画像データの圧縮データを記憶するのに対して、引用発明１では、複写動作に際しては、外部記憶装置には記憶せず、登録動作の時に、外部記憶手段は、画像データを記憶し、これと同時に、画像データファイル検索情報管理用の外部記憶手段には、記録順位（ファイルＮＯ．）、ファイル作成月、日、ファイルサイズ等内部処理により自動的に付与されるファイル識別検索情報と共に、メモリ２０８に記憶されている検索情報を記録する点。
〈相違点１について〉
　しかしながら、複写動作をさせてプリントアウトされた画像データであっても、後刻に参照あるいは再度プリントアウトする必要性や要望が生じないとは限らず、そのような事態に備えて、オペレータの最初の複写操作で複写動作と登録動作とを同時的に行わせることができるようにすれば便利なものとなるであろうことは、当業者ならば格別思考することなく想到できるものと認められるから、引用発明１が、複写動作時には画像データをページメモリ２０２を介して用いてプリントアウトし、登録動作時には画像データをページメモリを介して外部記憶装置に記憶し、これと同時にファイル識別情報を画像データファイル検索情報管理用の外部記憶手段に記憶して、記憶情報のプリントアウトの指示によりプリントアウトするものであり、また、ディジタル複写装置において、画像データを一旦記憶部に記憶させてから、印刷出力することは周知のことであり、また、一般的に画像データを記憶する場合に圧縮データとして記憶するとは周知慣用のことであり、さらに、画像データと画像データの管理情報とを別々の記憶装置に記憶するか、同一の記憶装置の別領域に記憶させるかは当業者にとって単なる設計事項であることを考慮すると、引用発明１において、複写動作時に、画像データをプリントアウトするだけでなく、記憶装置にファイル識別情報と画像データとを記憶する登録動作をも同時に行うことができるように本件請求項１に係る発明のごとく、複写動作に際して、操作指示部から入力された複写条件と、時刻情報とを複写情報レコードとして記憶すると共に、該複写情報レコードと関連づけて画像データの圧縮データを記憶するデータ記憶部を設けることは当業者が必要に応じて容易に推考することができることである。
　　　　
（イ）本件請求項２に係る発明について
　当審が通知した取消しの理由において引用した刊行物のいずれにも、請求項２に記載された「選択手段により再出力する画像データが選択されたときに、前回の出力処理内容を表示する手段と、該表示された出力処理内容を変更する手段とを設けたこと」が記載されていないことから、請求項２に係る発明は、当該引用刊行物１〜４に記載された発明から当業者が容易に発明をすることができたものではない。
　　　　
（ウ）本件請求項３に係る発明について
　当審が通知した取消しの理由において引用した刊行物のいずれにも、請求項３に記載された「データ記憶部は、操作員又はその属するグルーフ等の識別情報を記憶し、検索再出力時に、前記表示部に、入力された識別情報と一致した画像データの再出力可能一覧を表示するようにしたこと」が記載されていないことから、請求項３に係る発明は、当該引用刊行物１〜４に記載された発明から当業者が容易に発明をすることができたものではない。
　　　
（５）むすび
　以上のとおりであるから、本件請求項１に係る発明は、上記引用例１（刊行物３）に記載された発明に基づいて当業者が容易に発明をすることができたものであるから、本件請求項１に係る発明についての特許は、特許法第２９条第２項の規定に違反してされたものであり、同法第１１３条第２号に該当し、取り消されるべきものである。
　また、本件請求項２、請求項３に係る発明については、他に取消の理由を発見しない。
　よって、結論のとおり決定する。
【異議決定日】
平成１３年２月１５日（２００１．２．１５）
【訂正の要旨】
　訂正の要旨
訂正事項ａ
　特許請求の範囲の第１項中の「印刷出力する」を、「印刷出力する複写動作を行う」と訂正する。
訂正事項ｂ
　特許請求の範囲の第１項中の「操作指示部から入力された複写条件と、時刻情報を」を、「前記複写動作に際して、操作指示部から入力された複写条件と、時刻情報とを」と訂正する。
（５４）【発明の名称】
ディジタル複写装置
（５７）【特許請求の範囲】
　【請求項１】　画像入力部から読込んだ画像データを電気的ディジタル信号に変換した後印刷手段で印刷出力する複写動作を行うようにしたディジタル複写装置において、
　前記複写動作に際して、操作指示部から入力された複写条件と、時刻情報とを複写情報レコードとして記憶すると共に、該複写情報レコードと関連づけて前記画像データの圧縮データを記憶するデータ記億部と、
　画像の検索再出力を指示するための操作ボタンと、
　該操作ボタンが操作された時に、前記データ記憶部から読み出されたデータに基づいて作成された再出力可能一覧を表示する表示部と、
　該表示部上で所望の画像データを選択する選択手段と、
　選択された画像データを印刷出力する画像出力部とを具備したことを特徴とするディジタル複写装置。
　【請求項２】　請求項１のディジタル複写装置において、
　前記選択手段により再出力する画像データが選択されたときに、前回の出力処理内容を表示する手段と、
　該表示された出力処理内容を変更する手段とを設けたことを特徴とするディジタル複写装置。
　【請求項３】　請求項１又は２のディジタル複写装置において、
　前記データ記憶部は、操作員又はその属するグループ等の識別情報を記憶し、検索再出力時に、前記表示部に、入力された識別情報と一致した画像データの再出力可能一覧を表示するようにしたことを特徴とするディジタル複写装置。
　【請求項４】　請求項１又は２のディジタル複写装置において、
　前記選択された画像データを画像表示部に表示するかしないかを選択する操作手段と、
　前記画像表示部に表示された画像データのベージを更新する手段とを具備し、再出力内容を確認できるようにしたことを特徴とするディジタル複写装置。
　【請求項５】　請求項４のディジタル複写装置において、
　前記画像表示部に表示された画像データを任意の枚数、画面複写できるようにしたことを特徴とするディジタル複写装置。
【発明の詳細な説明】
　【０００１】
　【産業上の利用分野】
　この発明はディジタル複写装置に関し、特に、通常の複写機能と検索機能とを備えたディジタル複写装置に関する。
　【０００２】
　【従来の技術】
　従来から、画像データを画像入力装置で読込み、これを蓄積し、検索できるようにした装置は、多々、開発されている。その一例としては、光ファイル装置がある。
　【０００３】
　これらの装置においては、蓄積したデータを検索可能にするために、画像データの入力時あるいは入力後に、識別番号や検索のためのキーワードを、種々の手段で付加するようにしている。例えば、原稿入力時に、キーボード入力により、あるいはマークシート、ＯＣＲ（光学的文字認識装置）等により、識別番号やキーワードを入力するようにしている。
　【０００４】
　このような技術を開示した公報としては、例えば、特公昭６３−２２８２６８号公報、特公平２−１５０９７号公報、あるいは特開平２−２３９３７２号公報等がある。
　【０００５】
　【発明が解決しようとする課題】
　しかしながら、前記した先行技術においては、検索のための識別番号、キーワード等を画像データ入力とは別の操作で入力しなければならず、操作性が悪いという問題があった。
　【０００６】
　また、検索を迅速にするための配慮、蓄積したデータの機密保持の配慮が十分になされていなかった。
　【０００７】
　本発明の目的は、前記した従来技術の問題点を除去し、簡単な操作で、複写と、検索可能なデータの作成とを行うことができるディジタル複写装置を提供することにある。
　【０００８】
　また、他の目的は、迅速に検索を行うことができるディジタル複写装置を提供することにある。
　【０００９】
　さらに、他の目的は、蓄積したデータの機密保持をすることができるディジタル複写装置を提供することにある。
　【００１０】
　【課題を解決するための手段】
　前記目的を達成するために、請求項１の発明は、画像入力部から読込んだ画像データを電気的ディジタル信号に変換した後印刷手段で印刷出力するようにしたディジタル複写装置において、操作指示部から入力された複写条件と、時刻情報を複写情報レコードとして記憶すると共に、該複写情報レコードと関連づけて前記画像データの圧縮データを記憶するデータ記憶部と、画像の検索再出力を指示するための操作ボタンと、該操作ボタンが操作された時に、前記データ記憶部から読み出されたデータに基づいて作成された再出力可能一覧を表示する表示部と、該表示部上で所望の画像データを選択する選択手段と、選択された画像データを印刷出力する画像出力部とを具備した点に特徴がある。
　【００１１】
　また、請求項３の発明は、前記請求項１のディジタル複写装置において、前記データ記憶部は、操作員又はその属するグループ等の識別情報を記憶し、検索再出力時に、前記表示部に、入力された識別情報と一致した画像データの再出力可能一覧を表示するようにした点に特徴がある。
　【００１２】
　さらに、請求項４の発明は、前記請求項１のディジタル複写装置において、前記選択された画像データを画像表示部に表示するかしないかを選択する操作手段と、前記画像表示部に表示された画像データのページを更新する手段とを具備した点に特徴がある。
　【００１３】
　【作用】前記請求項１の発明によれば、操作指示部から複写条件を入力し、画像入力部から原稿データを読込むだけの操作で、前記複写条件は複写情報レコードに、前記原稿データは該複写情報レコードと関連付けて読込むことができる。また、検索再出力の指示をすることにより、再出力一覧を表示部に表示させ、その中から所望の画像データを選択して印刷出力することができる。
　【００１４】
　また、請求項３の発明によれば、識別情報と一致した画像データの再出力可能一覧を表示するようにしたので、データ記憶部に保存したデータの機密を保持することができる。
　【００１５】
　さらに、請求項４の発明によれば、選択された画像データを画像表示部に表示することができるので、検索再出力の誤出力を防止することができる。
　【００１６】
　【実施例】以下に、図面を参照して、本発明を詳細に説明する。まず、本発明のディジタル複写装置のハード構成の概要を、図２のブロック図を参照して説明する。
　【００１７】
　図において、１１はＣＣＤセンサ等を使用したスキャナ等からなるディジタル画像入力部、１２はメモリをもち、ＣＰＵによりディジタルデータの処理と周辺機器の制御を行うデータ処理／制御部、１３はレーザビームプリンタ等からなる用紙に画像印刷を行う画像出力部である。
　【００１８】
　また、１４はデータの蓄積保存を行うデータ記憶部であり、例えば磁気ディスク、光磁気ディスク、あるいはネットワークに接続した装置に接続したリモートディスク等から構成されている。１５は操作員に対して操作情報を表示し指示をあおぐ操作指示部である。
　【００１９】
　前記操作指示部１５の一例は、図３から明らかなように、液晶、プラズマ、ＥＬ、又はＬＥＤ等からなる状態表示部と、マイクロスイッチ、タッチパネル等のテンキーを中心とする操作ボタンとから構成されている。
　【００２０】
　さらに、１６は過去に複写した画像をビットマップ表示させたりするための画像表示装置であり、例えば、画像表示に適する画素数（１００×１６０ピクセル以上）を持つ液晶、プラズマ表示パネル等で構成されている。なお、該画像表示装置１６は本発明に必須の構成要件ではなく、必要に応じて削除されてもよい。
　【００２１】
　また、前記操作指示部１５、画像表示装置１６の代わりに、キーボードと、ＣＲＴディスプレイと、マウス等のポインティング・デバイスを接続するようにしても良い。
　【００２２】
　なお、１７はデータ通信部であり、該データ通信部１７から、図示されていない伝送線およびトランシーバ等の接続器を介して、例えばイーサネット等の基幹線に接続することができる。
　【００２３】
　次に、本実施例の動作を、図４のフローチャートを参照して、順次説明する。
　【００２４】
　（１）操作開始と処理設定
　操作員が、本実施例のディジタル複写装置を用いて原稿コピー操作を行う時には、通常の複写機と同様に、図３に示す操作パネルを用いて、複写部数、拡大縮小の比率、出力用紙サイズの選定、丁合方法およびＡＤＦ（原稿自動送り装置）機能の選択の有無等の複写条件の指示をする（ステップＳ１）。
　【００２５】
　また、本実施例の再出力機能を使用する時には、複写内容を記録して残すことを指示するために、記録ボタンをオンにする。なお、この記録ボタンは必須の構成ではなく、該記録ボタンを設けずに、常時複写内容を記録して残すようにしてもよい。
　【００２６】
　次に、操作員は、複写しようとする原稿を前記画像入力部１１、またはこれに付属するＡＤＦにセットして、スタートボタンをオンする（ステップＳ２）。これにより、原稿の読込みが開始される。
　【００２７】
　（２）原稿データの読込みと蓄積
　まず、１枚目の原稿が読込まれる。読込まれた原稿情報は、データ処理部１２にて圧縮処理される（ステップＳ４）。圧縮された原稿情報データは、データ記憶部１４に、ページ番号等のヘッダ情報と共に、画像レコードとして蓄積される（ステップＳ５）。
　【００２８】
　続いて、データ記憶部１４の記憶部残容量の確認と、容量を確保する動作が行われる（ステップＳ６）。
　【００２９】
　ここで、データ記憶部１４内の容量不足が予想される場合には、所定の容量がデータ記憶部１４内に確保されるまで、（４）で後述する登録画像の削除処理を繰り返し、時間的に古い既入力の一連の画像レコードを削除して、次の入力にそなえる。
　【００３０】
　前記ステップＳ２〜Ｓ６は、原稿の枚数分だけ繰り返される。このようにして、一連の原稿入力処理が終了すると、ステップＳ３の判断は肯定になり、ステップＳ７に進む。ステップＳ７では、データ記憶部１４の複写情報レコードに、前記ステップＳ１で、操作員が指示設定した複写処理に関する情報、および前記データ処理／制御部１２から得られる時計情報等が保存される。
　【００３１】
　図６は、前記複写情報レコードと、画像レコードの説明図である。複写情報レコードは、出力時刻、原稿枚数、出力部数、……等の項目からなり、一連の原稿入力処理が完了する度に、１レコード追加される。これと同時に、格納済みの圧縮画像データ位置を示すポインタが記録される。図６では、１ぺージ目のポインタが複写情報レコードに記録されるようになっているが、最終ページのポインタを記録するようにしても良い。
　【００３２】
　また、一連の圧縮原稿画像の各ページは、圧縮データのヘッダ部に、ページ番号直前または直後のページ画像データ位置を記録するポインタと、出力完了時刻およびページ番号を持っている。
　【００３３】
　次に、図４のステップＳ８に進み、電子丁合いの指示があったか否かの判断がなされる。
　【００３４】
　（３）複写画像の出力
　電子丁合いの指示がない場合（ステップＳ８が否定）には、ステップＳ９に進み、前記データ記憶部１４から圧縮された画像データを読み出す動作が行われる。続いて、ステップＳ１１に進み、前記圧縮された画像データを伸張する動作が行われる。次いで、ステップＳ１２に進んで、操作員によって指示のあった大きさに拡大または縮小する処理が行われる。次に、ステップＳ１３に進んで、操作員によって指示された部数が用紙に印字されて出力される。
　【００３５】
　以上の動作が、一連の入力原稿の全部に対して行われる。一連の入力原稿の全部に対する処理が終了すると、前記ステップＳ１０の判断は肯定となり、ステップＳ１４に進む。
　【００３６】
　ステップＳ１４では、データ記憶部１４内の、今回作成した複写情報レコードの出力時刻フィールドと、今回出力した画像データが入っている全ての画像レコードのヘッダ部の出力時刻フィールドを、出力完了時刻（年月日時分秒）で更新する。
　【００３７】
　一方、電子丁合いありの場合（ステップＳ８が肯定）には、図５のステップＳ１５に進み、データ記憶部１４から圧縮された画像データを読み出す動作が行われる。続いて、ステップＳ１７に進み、前記圧縮された画像データを伸張する動作が行われ、次いで、ステップＳ１８に進んで、操作員によって指示のあった大きさに拡大または縮小する処理が行われる。
　【００３８】
　ステップＳ１９では、画像イメージを印字出力し、ステップＳ１６で原稿の全頁の読みだしが終了したと判断されると、ステップＳ２０に進んで、指示された部数分の出力が繰返えされたか否かの判断が行われ、この判断が否定の場合には、ステップＳ１５に戻って、前記した動作が繰り返される。
　【００３９】
　一方、前記ステップＳ２０の判断が肯定になると、ステップＳ２１に進んで、前記ステップＳ１４と同様の動作が行われる。
　【００４０】
　（４）登録画像の削除処理
　前記複写情報レコードは、出力完了時刻（年月日時分秒）順に記録されている。したがって、削除のための不要画像を検索するためには、先頭のレコードのポインタが示す圧縮データのヘッダ部の出力完了時刻と同じ時刻をもつ画像データを削除の対象とし、一連の画像レコード、該当複写情報レコードの順に削除する。
　【００４１】
　もし、複写情報レコードとポインタが示す画像レコードのヘッダ部の出力完了時刻が異なる場合には、該当画像レコードは、より最近出力されているので、再々出力の可能性を考慮して、一連の画像レコードは削除せず、複写情報レコードのみを削除し、次の削除対象データの選択に移る。
　【００４２】
　（５）検索再出力処理
　次に、本実施例の画像の検索再出力の動作について、図７のフローチャートを参照して説明する。
　【００４３】
照）を押すことにより、起動する（ステップＳ１）。検索ボタンが押されると、操作指示部１５の液晶ディスプレイ、または画像表示部１６のＣＲＴディスプレイに、最近行った複写処理の記録、すなわち再出力可能一覧表が表示される（ステップＳ２）。
　【００４４】
　図８は前記液晶ディスプレイに表示された該再出力可能一覧表の例、図９は前記ＣＲＴディスプレイに表示された例を示す。液晶ディスプレイ等の比較的小さなディスプレイ上での表示の場合には、一度に５〜１０件程度しか表示できないため、「＋」、「−」ボタン等で前後にスクロールすることが可能である。ＣＲＴディスプレイに表示された場合も、一度に表示できない件数のデータがある場合にはスクロールして、全データをみることができる。
　【００４５】
　次に、ステップＳ３にて、取消しボタン（Ｃボタン）が押されたか否かの判断がなされ、この判断が否定の場合には、ステップＳ４に進んで、操作員がテンキー等を用いて再出力データの選択をする。
　【００４６】
　再出力のための原稿画像の選択が行われると、操作指示部１５の液晶ディスプレイに、前回の出力処理内容が表示される（ステップＳ５）。すなわち、前回出力した、用紙サイズ、部数、倍率等の出力処理内容が、データ記憶部１４から読み出されて表示される。
　【００４７】
　前記ステップＳ４で再出力データの選択に誤りがあった場合には、ステップＳ６でＣボタンが押され、該選択はキャンセルされる。ステップＳ６の判断が否定の時には、ステップＳ７に進む。ステップＳ７では、操作員が前記出力処理内容の変更を行う。例えば、用紙サイズ、部数、倍率等の変更をする。なお、変更のない場合は、このステップを飛ばしてもよいことは勿論である。
　【００４８】
　ステップＳ８では、ステップＳ７の変更に間違いがあった時にＣボタンが押され、ステップＳ５に戻る。
　【００４９】
　ステップＳ８でＣボタンが押されなかった時には、ステップＳ９に進んで、操作員はスタートボタンを押す。そうすると、ステップＳ１０に進んで、前記複写情報レコードに、今回の複写処理に関する情報が記録され、保存される。
　【００５０】
　ステップＳ１１では、電子丁合いの指示があったか否かの判断が行われ、この判断が否定の時には図４のステップＳ９へ進む。一方、前記判断が肯定の時には図５のステップＳ１５へ進む。これ以降の動作は、前記した通常の複写動作と同様であるので、説明を省略する。
　【００５１】
　なお、再出力した後、原稿画像をデータ記憶部１４から削除することも可能である。この場合には、前記記録ボタンを押さずに、図７のステップＳ１からの動作をすればよい。
　【００５２】
　以上のように、本実施例によれば、操作員が複写条件を指示し、原稿を読込み装置にセットしてスタートボタンを押すという簡単な操作で、複写と、検索可能なデータの作成とを行うことができる。また、操作員が検索ボタンを押して表示された再出力可能一覧表から再出力データを選択し、スタートボタンを押すだけで検索した画像データを出力できるので、迅速に検索を行うことができ、過去にディジタル複写装置でコピーした画像データを有効に利用することができる。
　【００５３】
　次に、本発明の第２実施例を説明する。この実施例は、前記の実施例においては、誰でも検索再出力処理を実行することができるため、機密保持の点で問題がある。この第２実施例は、この問題に対処したものである。
　【００５４】
　操作員がいま複写しようとする原稿を機密保持したい場合には、操作指示部１５（図２参照）のＩＤボタンを押した後、自分の識別番号をテンキーボタンで入力する。この識別番号は、個人別に割り当てても、あるいは課、係等のグループ別に割り当ててもよい。
　【００５５】
　その後の動作は、図４のフローチャートに示されているのと同様に行われる。すなわち、操作員が複写部数、拡大縮小の比率、出力用紙サイズの選定、丁合方法およびＡＤＦ（原稿自動送り装置）機能の選択の有無等の複写内容に関する指示を行い、原稿を画像入力部１１、またはこれに付属するＡＤＦにセットして、スタートボタンをオンする。
　【００５６】
　そうすると、原稿の画像データが圧縮されてデータ記憶部１４に保存され、続いて複写情報レコードに、前記識別番号と共に複写処理に関する情報が保存される。
　【００５７】
　検索再出力をする場合には、操作員は、前記操作指示部１５のＩＤボタンを押し、自分の識別番号をテンキーボタンで入力した後、図７のフローチャートのステップＳ１に示されている再出力指示をする。そうすると、該識別番号と一致する再出力データが、前記操作指示部１５の液晶ディスプレイ、または画像表示部１６のＣＲＴディスプレイに表示される。
　【００５８】
　そこで、操作員が図７のステップＳ４の操作、すなわち該再出力データから所望のデータを選択すると、前記したように、ディスプレイに前回の出力処理内容がセットされる。以下の動作は、図７のステップＳ６以下の動作と同様であるので、説明を省略する。
　【００５９】
　なお、前記の説明では、識別番号をテンキーボタンで入力するようにしたが、本発明はこれに限定されず、装置がアルファベットあるいは仮名文字のキーを持っている場合には、名前、愛称、パスワード等を入力するようにしてもよい。また、装置がカード・スロットルを有している場合は、社員証、学生証、組合証と兼用の磁気カードや、ＩＣカードを利用して、操作員を識別するようにしてもよい。また、前記カードの代わりに、通常の複写機等で一般的に使用されているコピーの課金情報管理用の磁気カードあるいはＩＣカードを利用するようにしてもよい。さらには、音声、指紋、手形等により、操作員の識別をするようにしてもよい。
　【００６０】
　次に、本発明の第３実施例を説明する。この実施例は、前記第１実施例では、検索ボタンを押すと検索再出力の動作が起動され、操作指示部１５の液晶ディスプレイ、または画像表示部１６のＣＲＴディスプレイに、図８又は図９に示されているような複写処理の記録、すなわち再出力可能一覧表が表示されるものであったが、この第１実施例では、検索した原稿画像の表示はされなかった。この第３実施例は、検索再出力にあたり、再出力しようとする画像データを表示させ、再出力内容の確認を可能にし、誤出力を防止できるようにした点に特徴がある。
　【００６１】
　本実施例は、図７のステップＳ４、Ｓ５又はＳ８のいずれかのステップの後に、操作指示部１５の表示キー（図３参照）が押されると、画像表示の動作に入る。この動作を、図１０のフローチャートを参照して説明する。
　【００６２】
　図７のステップＳ４、Ｓ５又はＳ８のいずれかのステップの後に、前記表示キーが押されると（ステップＳ３１が肯定）、ステップＳ３２に進み、最初に検索するページを１ページ目にセットする。次に、選択中の複写情報レコード上の画像データヘのポインタを辿り、１ページ目の画像レコードをデータ記憶部１４から検索する（ステップＳ３３）。そして、データ処理部１２がもつメモリに圧縮画像データを転送する。
　【００６３】
　データ処理部１２では、圧縮画像データを伸張処理し（ステップＳ３４）、その後、接続している画像表示部１６の表示画素数に合わせて、画像データを縮小処理する（ステップＳ３５）。本実施例の画像表示の目的は、再出力画像選択時の誤り防止であるため、記録されている画像データのおおよそを見ることができればよく、画像表示部１６の表示画素数は少なくてもよい。このため、この縮小処理は、細線等をなるべく残す白除去優先の処理が好適である。
　【００６４】
　縮小処理がされると、ステップＳ３６に進んで、縮小された画像データを画像表示部１６に表示する。その表示例を、図１１に示す。
　【００６５】
　図１１から明らかなように、画像表示部１６には、１ページ目の画像データが表示され、その下部に、次画面、前画面、次ページ、前ページ、画面複写、取消し等の機能キーが表示される。このため、これらの機能キーを操作することにより、画像表示部１６上に表示することができる。
　【００６６】
　次に、ステップＳ３７に進んで、前記画面複写の機能キーが操作されたか否かの判断がなされる。該機能キーが操作された時には、ステップＳ３９に進んで、操作指示部１５に、前回の出力処理内容が表示される。次いで、操作員は、必要があれば、出力処理内容を変更する。例えば、用紙サイズ、部数、倍率等の出力処理内容の変更が行われる。
　【００６７】
　ステップＳ４１では、取消しの操作がされたか否かの判断がなされ、取消しの操作がされた時には（ステップＳ４１が肯定）、前記ステップＳ３７に戻って、画面複写の機能キーの操作待ちの状態になる。一方、前記取消しの操作がされずにスタートボタンが押された時には（ステップＳ４２）、ステップＳ４３に進んで、表示されている画像データが設定部数分出力される。その後、前記ステップＳ３７に戻って、画面複写の機能キーの操作待ちの状態になる。
　【００６８】
　次に、ステップＳ３８にて取消しの機能キーが操作されると、前記図７の元のステップに戻る。例えば、前記ステップＳ４の処理がなされた時に、操作指示部１５の表示キー（図２参照）が押されて、画像表示の動作に入ったのであれば、ステップＳ４に戻る。また、前記ステップＳ５の処理がなされた時に、前記操作指示部１５の表示キーが押されて、画像表示の動作に入ったのであれば、ステップＳ５に戻る。
　【００６９】
　以上の説明から明らかなように、本実施例によれば、画像データを表示させて確認した後、再出力させることができるので、画像選択時の誤りを防止することができる。また、画面複写の操作をすることにより、画像表示部１６上に表示された画像データを必要部数コピーすることができる。
　【００７０】
　図１は本発明の機能を示す概略のブロック図である。図において、図２と同一の符号は同一又は同等物を示し、アルファベットの小文字が付された符号はそれが付されていない符号のものの機能を示す。
　【００７１】
　図において、１５ａは複写条件指示部であり、複写部数、拡大縮小の比率、出力用紙サイズの選定、丁合方法およびＡＤＦ（原稿自動送り装置）機能の選択の有無等の指示をする指示部である。該複写条件指示部１５ａで指示された条件はデータ記憶部１４の複写情報レコードに、時計部１２ｂからの時刻情報と共に保存される。
　【００７２】
　１１は画像入力部であり、原稿情報を読込む。読込まれた原稿情報は圧縮部１２ａにて圧縮され、データ記憶部１４に前記複写情報レコードと関連付けて記憶される。次いで、該原稿情報は伸張部１２ｄで伸張され、拡大／縮小部１２ｅで拡大または縮小の処理をされる。そして、印刷部で、用紙に印字される。
　【００７３】
　以上が、複写動作を表す機能である。なお、複写情報レコードが一杯になった時には、削除処理部１２ｃが古いものから順に削除する。
　【００７４】
　次に、検索再出力処理をする場合には、検索再出力起動部１５ｂが操作される。そうすると、データ読出し部１２ｆが前記データ記憶部１４の複写情報レコードを読み出す。読み出されたデータは再出力可能一覧作成部１２ｇにて再出力可能一覧表の形式に編集され、画像表示部１６ａに表示される。
　【００７５】
　そこで、検索再出力選択部１５ｃは画像表示部上で検索再出力データを選択する。この選択はデータ記憶部１４のデータ選択と連動しているので、該データ記憶部１４からは選択されたデータが読み出され、前記伸張部１２ｄ、拡大／縮小部１２ｅを経て印刷部から出力される。
　【００７６】
　前記の検索再出力起動部１５ｂを操作する際に、識別番号入力部１５ｄから識別番号を入力すると、データ読出し部１２ｆは該識別番号と照合するデータのみを選択して読み出すことになり、機密保持を行うことができる。
　【００７７】
　次に、前記再出力可能一覧表から検索再出力データを選択したところで、表示キー１５ｅが押されると、画像データ抽出部１２ｈは画像データを選択し画像表示部１６ａに表示する。この結果、操作員は、再出力内容の確認が可能になり、誤出力を低減することができる。
　【００７８】
　なお、画像表示部１６ａの表示は、制御部１６ｂの機能により、スクロール、画面複写等の制御を受けることができる。
　【００７９】
　【発明の効果】
　以上の説明から明らかなように、請求項１の発明によれば、画像入力部から読込んだ画像データおよび複写条件を、簡単に複写情報レコードに保存することができ、またそれから検索し再出力できるという効果がある。
　【００８０】
　また、請求項３の発明によれば、前記複写情報レコードに保存したデータの機密を保持できるという効果がある。
　【００８１】
　さらに、請求項４の発明によれば、検索再出力するデータをディスプレイ上で確認できるので、誤出力がないという効果がある。
【図面の簡単な説明】
　【図１】
　本発明の概略の機能ブロック図である。
　【図２】
　本発明のハード構成を示すブロック図である。
　【図３】
　図２の操作指示部の一例を示す図である。
　【図４】
　本発明の複写動作を説明するためのフローチャートである。
　【図５】
　図４の続きのフローチャートである。
　【図６】
　データ記憶部内に記憶されたデータ内部構造の説明図である。
　【図７】
　本発明の第１実施例の動作を説明するためのフローチャートである。
　【図８】
　操作部表示画面に表示された表示例を示す図である。
　【図９】
　操作部表示画面に表示された他の表示例を示す図である。
　【図１０】
　本発明の第３実施例の動作を説明するためのフローチャートである。
　【図１１】
　検索画面の表示例を示す図である。
　【符号の説明】
１１…画像入力部、１２…データ処理／制御部、１３…画像出力部、１４…データ記憶部、１５…操作指示部、１６…画像表示部、１７…データ通信部